(57)【要約】第１放送帯域および第２放送帯域を含むテレビジョン放送の視聴指示操作を検知する。また、第１放送帯域および第２放送帯域のそれぞれについて、放送時間帯を示す情報と、前記放送時間帯における放送番組を指定する情報を含む、電子番組表情報を記憶する。そして、本発明は、現在時刻における第１放送帯域と第２放送帯域の放送番組の関連性を判定する。第１放送帯域の視聴指示操作が検知され、第１放送帯域と第２放送帯域との間で、放送番組の関連性が所定の条件を充足したときに、本発明は、画像処理部に対して第１放送帯域からの受信映像と第２放送帯域からの受信映像との合成を指令する。
2008081513.tif 000002
【特許請求の範囲】
【請求項１】
第１放送帯域を受信する第１受信部と、
前記第１放送帯域よりも帯域幅が狭い第２放送帯域を受信する第２受信部と、
前記第１放送帯域からの受信映像と第２放送帯域からの受信映像とを合成する画像処理部と、
前記第１放送帯域からの受信映像、前記第２放送帯域からの受信映像、前記合成された映像のいずれかを表示する表示装置への映像出力インターフェースと、を有する情報機器の制御装置であり、
第１放送帯域および第２放送帯域を含むテレビジョン放送の視聴指示操作を検知する検知部と、
前記第１放送帯域および第２放送帯域のそれぞれについて、放送時間帯を示す情報と、前記放送時間帯における放送番組を指定する情報とを含む、電子番組表情報を記憶する番組情報記憶部と、
現在時刻における第１放送帯域と第２放送帯域の放送番組の関連性を判定する判定部と、
前記第１放送帯域の視聴指示操作が検知され、前記第１放送帯域と第２放送帯域との間で、放送番組の関連性が所定の条件を充足したときに、前記画像処理部に対して第１放送帯域からの受信映像と第２放送帯域からの受信映像との合成を指令することにより、前記映像出力インターフェースに合成された映像を出力する合成制御部とを備える制御装置。
【請求項２】
前記判定部は、前記電子番組表情報において、同一の放送時刻に指定された、第１放送帯域の放送番組を指定する情報と第２放送帯域の放送番組を指定する情報とにおいて、一部重複する文字列が含まれるか否かによって前記放送番組の関連性を判定する請求項１に記載の制御装置。
【請求項３】
文字情報の関連性を定義する関連性定義辞書をさらに有し、
前記判定部は、前記電子番組表情報において、同一の放送時刻に指定された、第１放送帯域の放送番組を指定する情報に含まれる文字列と第２放送帯域の放送番組を指定する情報に含まれる文字列との関連性が、前記関連性定義辞書において定義されているか否かによって前記放送番組の関連性を判定する請求項１に記載の制御装置。
【請求項４】
前記判定部は、第１放送帯域の放送番組とともに放送される文字情報と、第２放送帯域の放送番組とともに放送される文字情報とにおいて、一部重複する文字列が含まれるか否かによって前記放送番組の関連性を判定する請求項１に記載の制御装置。
【請求項５】
文字情報の関連性を定義する関連性定義辞書をさらに有し、
前記判定部は、第１放送帯域の放送番組とともに放送される文字情報に含まれる文字列と、第２放送帯域の放送番組とともに放送される文字情報に含まれる文字列との関連性が、前記関連性定義辞書において定義されているか否かによって前記放送番組の関連性を判定する請求項１に記載の制御装置。
【請求項６】
前記第１放送帯域を受信する第１受信部と、
前記第１放送帯域より帯域幅が狭い第２放送帯域を受信する第２受信部と、
前記第１放送帯域からの受信映像と第２放送帯域からの受信映像とを合成し、合成映像を生成する画像処理部と、
前記第１放送帯域の受信映像、前記第２放送帯域の受信映像、前記合成映像のいずれかを表示する表示装置への映像出力インターフェースと、
第１放送帯域および第２放送帯域を含むテレビジョン放送の視聴指示操作を検知する検知部と、
前記第１放送帯域および第２放送帯域のそれぞれについて、放送時間帯を示す情報と、前記放送時間帯における放送番組を指定する情報とを含む、電子番組表情報を記憶する番組情報記憶部と、
現在時刻における第１放送帯域と第２放送帯域の放送番組の関連性を判定する判定部と、
前記第１放送帯域の視聴指示操作が検知され、表示前記第１放送帯域と第２放送帯域との間で、放送番組の関連性が所定の条件を充足したときに、前記画像処理部に対して第１放送帯域からの受信映像と第２放送帯域からの受信映像との合成を指令することにより、前記映像出力インターフェースに合成された映像を出力する合成制御部と、を備える情報機器。
【請求項７】
前記判定部は、前記電子番組表情報において、同一の放送時刻に指定された、第１放送帯域の放送番組を指定する情報と第２放送帯域の放送番組を指定する情報とにおいて、一部重複する文字列が含まれるか否かによって前記放送番組の関連性を判定する請求項６に記載の情報機器。
【請求項８】
文字情報の関連性を定義する関連性定義辞書をさらに有し、
前記判定部は、前記電子番組表情報において、同一の放送時刻に指定された、第１放送帯域の放送番組を指定する情報に含まれる文字列と放送時刻に指定された第２放送帯域の放送番組を指定する情報に含まれる文字列との関連性が、前記関連性定義辞書において定義されているか否かによって前記放送番組の関連性を判定する請求項６に記載の情報機器。
【請求項９】
前記判定部は、第１放送帯域の放送番組とともに放送される文字情報と、第２放送帯域の放送番組とともに放送される文字情報とにおいて、一部重複する文字列が含まれるか否かによって前記放送番組の関連性を判定する請求項６に記載の情報機器。
【請求項１０】
文字情報の関連性を定義する関連性定義辞書をさらに有し、
前記判定部は、第１放送帯域の放送番組とともに放送される文字情報に含まれる文字列と、第２放送帯域の放送番組とともに放送される文字情報に含まれる文字列との関連性が、前記関連性定義辞書において定義されているか否かによって前記放送番組の関連性を判定する請求項６に記載の情報機器。
【請求項１１】
第１放送帯域を受信する第１受信部と、
前記第１放送帯域よりも帯域幅が狭い第２放送帯域を受信する第２受信部と、
前記第１放送帯域の受信映像と第２放送帯域の受信映像とを合成する画像処理部と、
前記第１放送帯域からの受信映像、前記第２放送帯域からの受信映像、前記合成された映像のいずれかを表示する表示装置への映像出力インターフェースと、を有する情報機器を制御するコンピュータが、
第１放送帯域および第２放送帯域を含むテレビジョン放送の視聴指示操作を検知するステップと、
前記第１放送帯域および第２放送帯域のそれぞれについて、放送時間帯を示す情報と、前記放送時間帯における放送番組を指定する情報とを含む、電子番組表情報を記憶した番組情報記憶部から前記電子番組表情報を読み出すステップと、
前記読み出した電子番組表情報により現在時刻における第１放送帯域と第２放送帯域の放送番組の関連性を判定する判定ステップと、
前記第１放送帯域の視聴指示操作が検知され、前記第１放送帯域と第２放送帯域との間で、放送番組の関連性が所定の条件を充足したときに、前記画像処理部に対して第１放送帯域からの受信映像と第２放送帯域からの受信映像との合成を指令することにより、前記映像出力インターフェースに合成された映像を出力するステップとを実行する制御方法。
【請求項１２】
前記判定ステップでは、前記電子番組表情報において、同一の放送時刻に指定された、第１放送帯域の放送番組を指定する情報と第２放送帯域の放送番組を指定する情報とにおいて、一部重複する文字列が含まれるか否かによって前記放送番組の関連性が判定される請求項１１に記載の制御方法。
【請求項１３】
前記コンピュータは、文字情報の関連性を定義する関連性定義辞書をさらに有し、
前記判定ステップでは、前記電子番組表情報において、同一の放送時刻に指定された、第１放送帯域の放送番組を指定する情報に含まれる文字列と第２放送帯域の放送番組を指定する情報に含まれる文字列との関連性が、前記関連性定義辞書において定義されているか否かによって前記放送番組の関連性が判定される請求項１１に記載の制御方法。
【請求項１４】
前記判定ステップでは、第１放送帯域の放送番組とともに放送される文字情報と、第２放送帯域の放送番組とともに放送される文字情報とにおいて、一部重複する文字列が含まれるか否かによって前記放送番組の関連性が判定される請求項１１に記載の制御方法。
【請求項１５】
前記コンピュータは、文字情報の関連性を定義する関連性定義辞書をさらに有し、
前記判定ステップでは、第１放送帯域の放送番組とともに放送される文字情報に含まれる文字列と、第２放送帯域の放送番組とともに放送される文字情報に含まれる文字列との関連性が、前記関連性定義辞書において定義されているか否かによって前記放送番組の関連性が判定される請求項１１に記載の制御方法。
【請求項１６】
第１放送帯域を受信する第１受信部と、
前記第１放送帯域よりも帯域幅が狭い第２放送帯域を受信する第２受信部と、
前記第１放送帯域からの受信映像と第２放送帯域からの受信映像とを合成する画像処理部と、
前記第１放送帯域からの受信映像、前記第２放送帯域からの受信映像、前記合成された映像のいずれかを表示する表示装置への映像出力インターフェースと、を有する情報機器を制御するコンピュータに、
第１放送帯域および第２放送帯域を含むテレビジョン放送の視聴指示操作を検知するステップと、
前記第１放送帯域および第２放送帯域のそれぞれについて、放送時間帯を示す情報と、前記放送時間帯における放送番組を指定する情報を含む、電子番組表情報を記憶した番組情報記憶部から前記電子番組表情報を読み出すステップと、
前記読み出した電子番組表情報により現在時刻における第１放送帯域と第２放送帯域の放送番組の関連性を判定するステップと、
前記第１放送帯域の視聴指示操作が検知され、前記第１放送帯域と第２放送帯域との間で、放送番組の関連性が所定の条件を充足したときに、前記画像処理部に対して第１放送帯域からの受信映像と第２放送帯域からの受信映像との合成を指令することにより、前記映像出力インターフェースに合成された映像を出力するステップとを実行させるプログラム。
【請求項１７】
前記判定ステップでは、前記電子番組表情報において、同一の放送時刻に指定された、第１放送帯域の放送番組を指定する情報と第２放送帯域の放送番組を指定する情報とにおいて、一部重複する文字列が含まれるか否かによって前記放送番組の関連性が判定される請求項１６に記載のプログラム。
【請求項１８】
前記コンピュータは、文字情報の関連性を定義する関連性定義辞書をさらに有し、
前記判定ステップでは、前記電子番組表情報において、同一の放送時刻に指定された、第１放送帯域の放送番組を指定する情報に含まれる文字列と第２放送帯域の放送番組を指定する情報に含まれる文字列との関連性が、前記関連性定義辞書において定義されているか否かによって前記放送番組の関連性が判定される請求項１６に記載のプログラム。
【請求項１９】
前記判定ステップでは、第１放送帯域の放送番組とともに放送される文字情報と、第２放送帯域の放送番組とともに放送される文字情報とにおいて、一部重複する文字列が含まれるか否かによって前記放送番組の関連性が判定される請求項１６に記載のプログラム。
【請求項２０】
前記コンピュータは、文字情報の関連性を定義する関連性定義辞書をさらに有し、
前記判定ステップでは、第１放送帯域の放送番組とともに放送される文字情報に含まれる文字列と、第２放送帯域の放送番組とともに放送される文字情報に含まれる文字列との関連性が、前記関連性定義辞書において定義されているか否かによって前記放送番組の関連性が判定される請求項１６に記載のプログラム。
【発明の詳細な説明】
【技術分野】
【０００１】
本発明は、テレビジョン視聴装置の制御技術に関するものである。
【背景技術】
【０００２】
地上デジタル放送において、ハイビジョン放送とワンセグメント放送が実施されている。現在の放送方式では、ハイビジョン放送とワンセグメント放送とで、同一の番組が放送されている。この放送方式をサイマル放送と呼ぶ。将来的にサイマル放送が解除された場合、ハイビジョン放送とワンセグメント放送で別番組が放送されることになる。【０００３】
その場合には、テレビジョン放送の電子番組表の量が増大することになる。さらには、ハイビジョン放送の電子番組表と、ワンセグメント放送の電子番組表は、それぞれ別個に提供にされることが多い。そうすると、ハイビジョン放送の電子番組表とワンセグメント放送の電子番組表とから、ユーザが見たい番組を捜す手間も増大すると想定される。さらに、これらの番組中に類似の内容が含まれる場合、ユーザは類似する番組を見比べなければならず、相応の労力を必要とする。
【特許文献１】特開２００６−０４１９８２号公報
【発明の開示】
【発明が解決しようとする課題】
【０００４】
本発明は、ハイビジョン放送とワンセグメント放送で別番組が放送される場合でも、極力ユーザの労力を低減して番組の視聴を可能にするテレビジョン視聴装置に係る技術を提供する。
【課題を解決するための手段】
【０００５】
本発明は前記課題を解決するために、以下の手段を採用した。すなわち、本発明は、第１放送帯域を受信する第１受信部と、第１放送帯域よりも帯域幅が狭い第２放送帯域を受信する第２受信部と、第１放送帯域からの受信映像と第２放送帯域からの受信映像とを合成する画像処理部と、第１放送帯域からの受信映像、前記第２放送帯域からの受信映像、前記合成された映像のいずれかを表示する表示装置への映像出力インターフェースと、を有する情報機器の制御技術の発明である。【０００６】
本制御技術は、第１放送帯域および第２放送帯域を含むテレビジョン放送の視聴指示操作を検知する。また、本発明は、第１放送帯域および第２放送帯域のそれぞれについて、放送時間帯を示す情報と、前記放送時間帯における放送番組を指定する情報を含む、電子番組表情報を記憶する。そして、本発明は、現在時刻における第１放送帯域と第２放送帯域の放送番組の関連性を判定する。そして、第１放送帯域の視聴指示操作が検知され、第１放送帯域と第２放送帯域との間で、放送番組の関連性が所定の条件を充足したときに、本発明は、画像処理部に対して第１放送帯域と第２放送帯域との合成を指令する。【０００７】
このように、本発明によれば、第１放送帯域と第２放送帯域との間で、放送番組の関連性が所定の条件を充足する場合には、第１放送帯域の番組と第２放送帯域の番組とが合成される。ここで、合成とは、例えば、ピクチャーインピクチャーにて、大画面で表示される第１放送帯域の画面内に、小画面にて第２放送帯域の画面が組み込まれることをいう。
【発明の効果】
【０００８】
本発明によれば、ハイビジョン放送とワンセグメント放送のように、互いに関係する２つの放送（第１デジタル放送と、第２デジタル放送）で別番組が放送される場合でも、番組の種類の増加による視聴番組選択時の労力を極力低減できる。
【図面の簡単な説明】
【０００９】
【図１】実施形態に係るテレビジョン視聴装置の典型的な使用例を示す図である。
【図２】テレビジョン視聴装置の概要構成図である。
【図３】テレビジョン視聴装置の詳細構成図である。
【図４】放送受信部の詳細構成図である。
【図５】実施形態に係るテレビジョン視聴装置がテレジョン放送の受信を開始するときの処理手順である。
【符号の説明】
【００１０】
１０  テレビジョン視聴装置
１０Ａ  制御装置
１１  ＣＰＵ
１２  メモリ
１３  インターフェース
１４  放送受信部
１５  通信部
１６  ハードディスクドライブ
１７  可搬記憶媒体駆動部
１８  操作部
１９  赤外線検出部
２０  赤外線リモコン
２１  ディスプレイ
２２  画像処理部
１４１  チューナ
１４２  ワンセグメント復号器
１４３  ハイビジョン復号器
【発明を実施するための最良の形態】
【００１１】
以下、図面を参照して本発明を実施するための最良の形態（以下、実施形態という）に係るテレビジョン視聴装置について説明する。以下の実施形態の構成は例示であり、本発明は実施形態の構成には限定されない。【００１２】
＜発明の骨子＞
地上デジタル放送は、１つのチャンネル（帯域幅６ＭＨｚ）を１４個のセグメントに周波数分割し、そのうち、１３個のセグメントを放送に使用する。そして、１３個のセグメントのうち、１２個がハイビジョン放送（本発明の第１放送帯域に相当）に使用され、残りの１つのセグメントがワンセグメント放送（本発明の第２放送帯域に相当）に使用される。本発明は、地上波デジタル放送の１つのチャンネルを構成するハイビジョン放送とワンセグメント放送とで、異なる番組が提供された場合の視聴技術を提案する。【００１３】
図１に、本テレビジョン視聴装置の機能概要を示す。本テレビジョン視聴装置は、同一チャンネルに含まれるハイビジョン放送と、ワンセグメント放送とで、内容に関連性があるが、その２つの放送の内容が同一ではない状態を検知する。そして、そのような状態でハイビジョン放送と、ワンセグメント放送とが、放送されている場合に、本テレビジョン視聴装置は、その２つの放送をピクチャーインピクチャーで表示する。【００１４】
すなわち、本テレビジョン視聴装置は、表示装置の画面の大半を占める大画面にハイビジョン放送の番組を表示する。また、同時に、本テレビジョン視聴装置は、大画面中に小画面を設け、ワンセグメント放送の番組を表示する。【００１５】
以下、本テレビジョン視聴装置が想定する使用例を説明する。
（使用例１）例えば、ハイビジョン放送でニュース番組（放送時間３０分）が放送され、一方、ワンセグメント放送でそのニュース番組から抽出したトピックあるいは要約（放送時間５分）が６回繰り返して放送される場合である。【００１６】
本視聴装置は、予めハイビジョン放送の電子番組表データと、ワンセグメント放送の電子番組表データを所定のサーバ、例えば、インターネット上のウェブサイトから取得しておく。そして、次に放送されるハイビジョン放送の番組の内容とワンセグメント放送の番組の内容とが、電子番組表において関連しているが同一でないと判断される場合に、ハイビジョン放送の番組とワンセグメント放送の番組をピクチャーインピクチャーで表示する。
（使用例２）また、例えば、ハイビジョン放送で映画が放送され、ワンセグメント放送でその映画の制作過程（映画メイキングと呼ぶ）が放送される場合が考えられる。そのような場合も、ハイビジョン放送の電子番組表データと、ワンセグメント放送の電子番組表とを比較することで、関連しているが、同一でない場合を検知できる。【００１７】
＜テレビジョン視聴装置の概要構成＞
図２に、本実施形態に係るテレビジョン視聴装置１０の概要構成図を示す。本テレビジョン視聴装置１０は、ユーザの操作を受けて、テレビジョン視聴装置１０を操作する操作部１８と、操作部１８への操作にしたがってテレビジョン放送を受信する放送受信部１４と、放送受信部１４で受信された放送番組を表示する表示部２１Ａと、表示部２１Ａを制御する画像処理部２２と、テレビジョン視聴装置１０を制御する制御装置１０Ａとを有する。【００１８】
このうち、放送受信部１４は、第１デジタル放送を受信する第１受信部と、第１デジタル放送よりも帯域幅が狭い第２デジタル放送を受信する第２受信部とを含む。ここで、第１デジタル放送とは、ハイビジョン放送であり、第２デジタル放送とは、ワンセグメント放送である。第１デジタル放送は、単一のチャンネルの帯域を構成する複数のセグメント（例えば１３セグメント）の一部（１２セグメント）を使用し、第２デジタル放送は、そのチャンネルの残りのセグメント（例えば、１セグメント）を使用する。【００１９】
さらに、制御装置１０Ａは、操作部１８へのユーザ操作によって発生する操作信号を検知する検知部３０、検知部３０にてテレビジョン放送の受信指示が検知されたときに、第１デジタル放送の番組と第２デジタル放送の番組とが関連性を有しているか否かを判定する判定部３３、判定部３３が番組の関連性を判定するために使用する電子番組表データを格納する番組情報記憶部３４、判定部３３によって第１デジタル放送の番組と第２デジタル放送の番組とが関連性を有していると判定されたときに、第１デジタル放送の番組と第２デジタル放送の番組との合成を画像処理部２２に指令する合成制御部３１を有している。【００２０】
ここで、操作部１８は、チャンネル、操作ボタン、コンピュータの入力装置等である。【００２１】
また、これらのうち、制御装置１０Ａは、ＣＰＵ、メモリ等を含むコンピュータとコンピュータ上で実行されるプログラムによって実現することができる。操作部１８、表示部２１Ａ、画像処理部２２および、放送受信部１４は、所定のインターフェースを通じて、制御装置１０Ａに接続される。【００２２】
検知部３０は、操作部１８とＣＰＵとのインターフェースと、インターフェースの信号を処理するデバイスドライバと、デバイスドライバを通じて操作部１８との間で信号を授受するＯＳ（オペレーティングシステム）とを含み、ＯＳを通じて、操作部１８への操作（例えば、受信チャンネルの切り替え）を検知する。【００２３】
ただし、検知部３０として、専用のハードウェアを設けてもよい。例えば、操作部１８用の入力信号処理回路を設けて、ＣＰＵの処理を分担してもよい。このような処理回路としては、キーボードコントローラ、マウスコントローラ等が知られている。【００２４】
また、例えば、操作部１８からの信号を処理する専用の入力制御プロセッサを別途設けてもよい。入力制御プロセッサは、操作部１８の信号を所定のチャンネル切り替え信号に変換し、画像処理部２２、または、放送受信部１４に信号を伝達すればよい。【００２５】
画像処理部２２は、表示部２１Ａに制御装置１０Ａから出力される画面、第１受信部１４Ａで受信される第１デジタル放送の番組、第２受信部１４Ａで受信される第２デジタル放送の番組、あるいは、第１デジタル放送の番組と第２デジタル放送の番組とをピクチャーインピクチャーで組み合わせた映像等を出力する。画像処理部２２は、画像処理を専用に実行するプロセッサまたは画像処理基板によって構成される。ただし、画像処理部２２として、制御装置１０Ａと異なる構成とせず、制御装置１０Ａの一部として構成してもよい。例えば、制御装置１０Ａに内蔵されるＣＰＵ上のプログラムによって画像処理部２２を構成してもよい。【００２６】
合成制御部３１は、画像処理部２２に、ピクチャーインピクチャーで組み合わせた映像を作成するか、通常の映像を出力するかを指示する。合成制御部３１は、制御装置１０Ａを構成するＣＰＵで実行されるプログラムとして実現される。ただし、合成制御部３１として、専用のプロセッサを設けてもよい。【００２７】
番組情報記憶部３４には、例えば、ネットワークを通じて取得される電子番組表データが格納される。番組情報記憶部３４は、メモリ、あるいは、ハードディスクによって構成される。【００２８】
判定部３３は、番組情報記憶部３４から、第１デジタル放送の番組情報と第２デジタル放送の番組情報とを読み出し、２つの番組の関連性を判定する。判定部３３は、制御装置１０Ａを構成するＣＰＵで実行されるプログラムとして実現される。ただし、判定部３３として、番組情報記憶部３４にアクセスし、その情報を比較する専用のプロセッサを設けてもよい。【００２９】
なお、制御装置１０Ａ、放送受信部１４、および、表示部２１Ａと画像処理部２２とを接続するインターフェースを含む構成が、本発明の情報機器に相当する。ただし、テレビジョン視聴装置１０を利用するユーザの要望に応じて、表示部２１Ａと画像処理部２２を含めて情報機器を構成してもよい。【００３０】
＜テレビジョン視聴装置の詳細構成＞
図３に、テレビジョン視聴装置１０の詳細構成を示す。図３のように、テレビジョン視聴装置１０は、コンピュータプログラムを実行し、テレビジョン視聴装置１０を制御するＣＰＵ１１と、ＣＰＵ１１で実行されるコンピュータプログラム、あるいはＣＰＵ１１が処理するデータを記憶するメモリ１２と、ＣＰＵ１１を各種の装置に接続するインターフェース１３と、インターフェース１３を通じて接続される放送受信部１４、通信部１５、ハードディスク駆動装置１６、可搬媒体駆動装置１７、操作部１８、画像処理部２２、ディスプレイ２１、および赤外線検出部１９等の装置とを有している。【００３１】
ここで、ＣＰＵ１１は、コンピュータプログラムを実行し、テレビジョン視聴装置１０の各部を制御し、テレビジョン視聴装置１０の機能を提供する。メモリ１２は、ＣＰＵ１１で実行されるプログラム、およびＣＰＵ１１で処理されるデータを記憶する。メモリ１１は、揮発性のＲＡＭ（Random Access Memory）と、不揮発性のＲＯＭ（Read Only Member）を含む。ＲＯＭには、フラッシュメモリ、ＥＰＲＯＭ（Erasable Programmable Read-Only Memory）、ＥＥＰＲＯＭ（Electrically Erasable Programmable Read-Only Memory）のような書き換え可能な半導体メモリを含む。【００３２】
インターフェース１３は、ＵＳＢ等のシリアルインターフェース、あるいは、ＰＣＩ（Peripheral Component Interconnect）、ＩＳＡ（Industry Standard Architecture ）、ＥＩＳＡ（Extended ISA）、ＡＴＡ（AT Attachment）、ＩＤＥ（Integrated Drive Electronics）、ＩＥＥＥ１３９４、ＳＣＳＩ（Small Computer System Interface）等のパラレルインターフェースのいずれでもよい。 なお、図２では、インターフェース１３と記載されているが、ＣＰＵ１１と各装置との間を異なるインターフェースで接続してもよい。また、複数のインターフェースをブリッジ接続してもよい。【００３３】
放送受信部１４は、少なくともデジタルテレビジョン放送を受信する機能を有する。その場合には、放送受信部１４は、同調回路と増幅器を含む高周波部の他、デジタル信号の復号器（例えば、ＯＦＤＭ（Orthogonal Frequency Division Multiplexing ）の復調器、およびＭＰＥＧ（Motion Picture Experts Group、ＭＰＥＧ−ｉ（ｉは、1,2,4のいずれか）の復号器等）を含む。なお、本実施形態のテレビジョン視聴装置１０は、ＭＰＥＧの種類に限定されないので、以下では、この復号器を単に、ＭＰＥＧの復号器と呼ぶ。【００３４】
ここで、高周波部は、高周波の電磁波をベースバンド信号に変換する。また、ＯＦＤＭの復調器は、ＦＦＴ（Fast Fourier Transform）処理回路および直交復調器を含み、ベースバンド信号からデジタル信号を生成する。ＭＰＥＧの復号器は、生成されたデジタル信号からＭＰＥＧの規定にしたがって、ビデオデータを生成する。これらの処理は、積和演算を実行する専用のデジタル回路で構成してもよい。また、ＤＳＰのようなプロセッサとプログラムで構成してもよい。また、テレビジョン放送の規格にしたがって製造され販売されている復調用ＬＳＩを用いてもよい。【００３５】
なお、図３では、省略されているが、放送受信部１４は、アンテナ、あるいはブロードバンドネットワークとのインターフェース等に接続され、地上波、地上波デジタル放送、衛星放送、ブロードバンドネットワーク等から信号を受信する。そして、放送受信部１４は、受信信号から動画と音声を生成し、ディプレイ２１に表示させる。【００３６】
通信部１５は、ブロードバンドネットワークとのインターフェースである。ブロードバンドネットワークは、例えば、ＬＡＮ（Local Area Network ）、ケーブルテレビネットワーク、ｘＤＳＬ（x Digital Subscriber Line）、ＡＤＳＬ、光ネットワーク等の有線ネットワーク、あるいは、無線ＬＡＮ、固定無線アクセス（ＦＷＡ）等の無線アクセス可能なネットワークである。通信部１５は、例えば、ネットワーク上のサーバから、ハードディスク駆動装置１６にインストールされるコンピュータプログラム、テレビジョン放送の電子番組表、放送される番組自体（動画と音声）を記録したビデオデータファイル、あるいは、オンラインの放送番組の受信データ等を取得する。これらのブロードバンドネットワークは、一般的には、インターネットに接続可能である。【００３７】
なお、通信部１５がブローバンドネットワーク上の放送番組を受信する場合、受信データは、通信部１５から放送受信部１４に引き渡すようにすればよい。また、放送受信部１４が、通信部１５とは異なるインターフェースでブローバンドネットワークに接続するようにしてもよい。【００３８】
ハードディスク駆動装置１６は、メモリ１２にロードされるプログラムを格納する。また、ハードディスク駆動装置１６は、ＣＰＵ１１で処理されるデータを保存する。さらに、ハードディスク駆動装置１６は、放送受信部１４と連動し、受信されたテレビジョン放送の番組（ビデオデータ）をハードディスクに記録する。さらに、ハードディスク駆動装置１６は、ハードディスクに記録されている番組を再生し、ディスプレイ２１に表示する。【００３９】
なお、ハードディスク駆動装置１６は、１台に限定されず、複数台設けてもよい。例えば、コンピュータプログラムを格納するディスクと、ビデオデータファイルを格納するディスクとで、異なるハードディスク駆動装置１６を用いてもよい。【００４０】
可搬媒体駆動装置１７は、例えば、ＣＤ（Compact Disc）、ＤＶＤ（Digital Versatile Disk）、ＨＤ−ＤＶＤ、ブルーレイディスク等の駆動装置である。また、可搬媒体駆動装置１７は、フラッシュメモリ等の不揮発性メモリを有するカード媒体の入出力装置であってもよい。可搬媒体駆動装置１７が駆動する媒体は、例えば、ハードディスク駆動装置１６にインストールされるコンピュータプログラム、ビデオデータファイル等を保持する。【００４１】
操作部１８は、各種のスイッチ、チャンネル操作用のつまみ等である。また、操作部１８として、コンピュータの入力装置、例えば、キーボード、ポインティングデバイス等が含まれる。ポインティングデバイスの種類には特に限定はなく、マウス、トラックボール、ダイヤル式操作部、スティック形式でディスプレイ上のポインタを移動する装置、静電容量によってユーザの指の操作を検出するデバイス（フラットポイントと呼ぶ）、タッチパネル、ジョイスティック等、テレビジョン視聴装置１０の特性、ユーザのニーズ等に応じて、適切なものを使用すればよい。【００４２】
キーボードは、ユーザの入力操作に応じて、入力されたキーに対応する電気信号を不図示のキーボードコントローラに送信する。キーボードコントローラは、その電気信号に対応する符号をＣＰＵ１１に送信する。ＣＰＵ１１のデバイスドライバは、ＯＳ（オペレーティングシステム）が内蔵するフォントデータ（輪郭線を描くためのいくつかの点の座標とそれを結ぶ曲線の方程式）に基づき、その符号に対応するフォントの輪郭線を形成し（True Fontと呼ぶ）ディスプレイ２１に表示する。また、ＣＰＵ１１は、ユーザの入力操作に応じて、文字入力先を示す文字カーソルを画面上に表示し、画面上を移動させる。【００４３】
ポインティングデバイスは、ユーザ操作を検知して、操作信号を不図示のポインティングデバイス制御装置（例えば、不図示のマウスコントローラ、または、インターフェース１３等）に送信する。操作信号を受けたポインティングデバイス制御装置は、操作の方向および操作量を生成するための情報をＣＰＵ１１に送信する。ＣＰＵ１１のデバイスドライバは、ポインティングデバイス制御装置からの操作信号に基づき、ディスプレイ２１上の画面にポインタを表示し、画面上を移動させる。【００４４】
また、ＣＰＵ１１のＯＳは、ポインタと、画面上のオブジェクト（ウィンドウ、ボタン、メニュー、リスト等）との位置関係を判定する。そして、そして、ポインタが存在する位置にあるオブジェクトを選択状態、あるいは、フォーカス状態にする。さらに、ポインティングデバイスに対する選択確定操作、例えば、マウスボタンの押下によって、そのオブジェクトの選択を確定する。【００４５】
画像処理部２２は、ＣＰＵ１１から出力される文字データおよびグラフィックスデータ等を含むディスプレイ２１への出力データと、放送受信部１４で受信された番組データを合成して、ディスプレイ２１に出力する。【００４６】
ディスプレイ２１は、例えば、液晶表示装置、プラズマディスプレイパネル、ＣＲＴ（Cathode Ray Tube）、エレクトロルミネッセンスパネル等である。【００４７】
また、ディスプレイ２１には、スピーカが付属し、放送受信部１４で生成された音（音声および音声以外の音響を含む）、ハードディスク駆動装置１６または可搬媒体駆動装置１７から読み出され、不図示の音声合成基板で再生された音を出力する。音声合成基板は、例えば、ＭＰ３等のデジタルデータを音に変換する。【００４８】
赤外線検出部１９は、赤外線リモコン２０からの赤外線による操作信号を検知し、電気信号に変換し、テレビジョン視聴装置１０の各部に伝達する。ただし、ＣＰＵ１１がインターフェース１３を通じて一旦操作信号を受け付け、ＣＰＵ１１からテレビジョン視聴装置１０の各部に指令を送るようにしてもよい。ユーザは、赤外線リモコン２０上の操作ボタンを操作することにより、赤外線検出部１９を通じて、テレビジョン視聴装置１０を操作することができる。【００４９】
以上のようなテレビジョン視聴装置１０は、例えば、放送受信部１４を有するパーソナルコンピュータとして構成できる。ただし、テレビジョン視聴装置１０は、パーソナルコンピュータに限定されず、同等の機能を有する他の装置、例えば、ハードディスク１６を有するテレビジョン受信装置であってもよい。また、ＤＶＤレコーダ、ハードディスクレコーダ、テレビジョン放送受信用のチューナ、セットトップボックス、テレビジョン放送受信機能付きの携帯電話、携帯情報端末（ＰＤＡ）、ゲーム機、テレビジョン放送受信機能付きの車載器等によっても、テレビジョン視聴装置１０は、実現できる。【００５０】
図４に、放送受信部１４および画像処理部２２の詳細構成を示す。【００５１】
放送受信部１４は、アンテナＡＮまたは通信基板１５Ａを通じて高周波（ＲＦ）を受信するチューナ１４１（高周波部ともいう）と、チューナ１４１の受信信号を入力されるワンセグメント復号器１４２と、ハイビジョン復号器１４３とを有している。【００５２】
チューナ１４１は、アンテナＡＮまたは通信部１５を通じて入力される高周波のうち、受信チャンネルに該当する帯域部分のベースバンド信号を抽出する。チューナ１４１は、例えば、増幅器とバンドパスフィルタとを含む。【００５３】
本実施形態でのテレビジョン放送は、１チャンネルが１３個のセグメントを含むデジタル放送である。各セグメントは、ＯＦＤＭ（直交周波数分割多重）のサブキャリアにて搬送される。【００５４】
ワンセグメント復号器１４２は、例えば、１３セグメントのうち、１個のセグメントだけを復号するＯＦＤＭ復号器とＭＰＥＧ復号器を含む。ＯＦＤＭ復号器は、ベースバンド信号から、その復号器が担当するワンセグメント分のデジタル信号を生成する。ＭＰＥＧ復号器は、１セグメント分のデジタル信号からデジタルビデオ信号およびデジタル音信号を生成する。【００５５】
ハイビジョン復号器１４３は、１３セグメントのうち、上記１セグメントを除く１２個のセグメントを復号するＯＦＤＭ復号器とＭＰＥＧ復号器を含む。この場合、ＭＰＥＧ復号器は、１２セグメント分のデジタル信号からデジタルビデオ信号およびデジタル音信号を生成する。なお、ワンセグメント復号器１４２と、ハイビジョン復号器１４３とで、ＭＰＥＧ復号器を共用しても構わない。【００５６】
なお、ワンセグメント復号器１４２およびハイビジョン復号器１４３の出力信号は、いずれも画像処理部２２（あるいは、グラフィックス基板ともいう）に供給される。【００５７】
画像処理部２２は、画像データを格納する画像メモリ２２１、画像メモリ２２１上の複数のデータ、例えば、ＣＰＵ１１からの画面データ、ワンセグメント復号器１４２からの受信番組データ、およびハイビジョン復号器１４３からの受信番組データの２以上を合成する画像合成部２２２、および画像メモリ２２１上の画像データからディスプレイの駆動信号を生成する駆動回路２２３を有している。【００５８】
画像メモリ２２１には、バスを通じて、ＣＰＵ１１、ワンセグメント復号器１４２、およびハイビジョン復号器１４３からそれぞれのデータが書き込まれる。【００５９】
画像合成部２２２は、ＣＰＵ１１からの画面情報（例えば、ウィンドウの構成、ウィンドウ内のグラフィックスオブジェクト、ウィンドウに表示される画像、テキスト等）と、ワンセグメント復号器１４２からの受信番組データ、およびハイビジョン復号器１４３からの受信番組データの１以上（いわゆるテレビジョンの映像）を含むテレビジョン画面の情報とを合成する。このような画像合成部２２２は、例えば、画像メモリ内の画像に対する種々の演算を実行するグラフィックスプロセッサによって構成される。画像合成部２２２の処理結果は、画像メモリ２２１を通じて、駆動回路２２３に転送される。【００６０】
駆動回路２２３は、バスを通じて、画像メモリ２２１上のデータを読み出す。駆動回路２２３は、例えば、Ｄ／Ａ変換器を含み、画像データからディスプレイ２１を駆動する駆動信号を生成する。すなわち、駆動回路２２３は、所定の同期信号にしたがって、ディスプレイ２１上の画素回路、例えば、液晶ディスプレイを構成するトランジスタ等を駆動する。【００６１】
＜処理フロー＞
以下、本テレビジョン視聴装置１０によるテレビジョン番組受信処理の手順を説明する。図５は、本テレビジョン視聴装置１０がテレジョン放送の受信を開始するときの処理手順である。【００６２】
この処理では、テレビジョン視聴装置１０は、操作部１８を通じたユーザの操作によって、テレビジョン番組の視聴開始を検出する（Ｓ１）。このとき、テレビジョン視聴装置１０は、受信すべきチャンネルをユーザから入力される。【００６３】
すると、テレビジョン視聴装置１０は、事前に取得済みの電子番組表（ＥＰＧともいう）のデータから、そのチャンネルでのハイビジョン放送と、ワンセグメント放送の番組の内容を比較する（Ｓ２）。ここで、電子番組表は、例えば、チャンネルを識別する情報（チャンネル番号）、周波数帯、ハイビジョンかワンセグメントか区別を示す情報、番組のタイトル、番組のジャンルを示す情報、その他の付加情報（出演者、制作者等）を含む。したがって、Ｓ２の処理では、例えば、電子番組表データ中の番組のタイトル欄に含まれる文字列同士を比較すればよい。【００６４】
そして、本テレビジョン視聴装置１０は、ハイビジョン放送と、ワンセグメント放送の番組の内容が同一であるか否かを判定する（Ｓ３）。本実施形態では、番組のタイトル欄の文字列が一致する場合、テレビジョン視聴装置１０は、ハイビジョン放送と、ワンセグメント放送の番組の内容が同一であると判定する。【００６５】
ハイビジョン放送と、ワンセグメント放送の番組の内容が同一でない場合、本テレビジョン視聴装置１０は、ハイビジョン放送と、ワンセグメント放送の番組の内容が関連番組であるか否かを判定する（Ｓ４）。本実施形態では、ハイビジョン放送の番組のタイトル欄の文字列と、ワンセグメント放送の番組のタイトル欄の文字列とで、共通する単語が、所定数以上の場合に、テレビジョン視聴装置１０は、ハイビジョン放送と、ワンセグメント放送の番組の内容が関連すると判定する。【００６６】
すなわち、この判定では、テレビジョン視聴装置は、番組のタイトル欄（本発明の放送番組を指定する情報に相当）の文字列を単語に分解する。そして、タイトル欄の単語のうち、ハイビジョン放送と、ワンセグメント放送とで一致する単語の割合を算出する。そして、その割合が所定以上の場合に、２つの番組が関連すると判定する。例えば、映画のタイトルがハイビジョン放送の番組タイトルであり、その映画のタイトルを含む映画メイキングを示すタイトルが、ワンセグメント放送の番組タイトルである場合である。【００６７】
ただし、別途関連する番組を定義した辞書（本発明の関連性定義辞書に相当）を用意してもよい。例えば、辞書には、（文字列１、文字列２）のようなデータが記録されている。そして、ハイビジョン放送の番組のタイトル欄の文字列１と、ワンセグメント放送の番組のタイトル欄の文字列２とが、（文字列１、文字列２）として、辞書に定義されている場合に、２つの番組が関連すると判定してよい。例えば、（ニュース、トピックス）のような場合である。【００６８】
また、番組のタイトルの代わりに、ＥＰＧに含まれる他の情報、例えば、ジャンル等（本発明の放送番組を指定する情報に相当）を上記と同様の手順で比較してもよい。また、例えば、番組の字幕、画面の垂直帰線期間に放送される情報、番組の放送とともに送信されるＨＴＭＬ、ＸＭＬ等のデータ放送に含まれる情報（本発明の放送番組とともに放送される文字情報に相当）を上記と同様の手順で比較してもよい。【００６９】
そして、ハイビジョン放送と、ワンセグメント放送の番組の内容が関連すると判定されたとき、テレビジョン視聴装置１０は、ユーザにピクチャーインピクチャーでの表示の要否を問い合わせる（Ｓ５）。問い合わせは、ディスプレイ２１への表示または音声出力でなされる。【００７０】
そして、テレビジョン視聴装置１０は、ピクチャーインピクチャーの指示があったか否かを判定する（Ｓ６）。ピクチャーインピクチャーの指示があった場合、テレビジョン視聴装置１０は、ピクチャーインピクチャーで番組を表示する（Ｓ７）。すなわち、大画面で表示されるハイビジョンの画面中の小画面にワンセグメント放送の番組が表示される。一方、ピクチャーインピクチャーの指示がなかった場合、Ｓ１の指示に応じて、ハイビジョン放送が大画面で表示される（Ｓ８）。ただし、Ｓ１の指示に応じて、ワンセグメント放送を表示するようにしても構わない。【００７１】
以上述べたように、本実施形態のテレビジョン視聴装置１０は、ハイビジョン放送の番組内容と、ワンセグメント放送の番組内容が同一ではないが、関連性がある場合に、ピクチャーインピクチャーで番組を表示する。【００７２】
したがって、ユーザは、ハイビジョン放送視聴中に、ワンセグメント放送の番組をチェックする必要がない。また、ピクチャーインピクチャーで表示されるワンセグメント放送の番組は、ハイビジョン放送の番組と関連のある番組であるので、ハイビジョン放送の視聴の支援になる。例えば、ニュースとニューストピック、映画と映画メイキングのような関係があるので、ワンセグメント放送の番組の内容が、ハイビジョン放送の番組を視聴する支援となる。【００７３】
上記実施形態では、図５のＳ５、Ｓ６のようにユーザにピクチャーインピクチャー実行の要否を問い合わせた。しかし、このような手順に代えて、予め、ピクチャーインピクチャー実行の要否をユーザが設定し、メモリ１２、ハードディスク駆動装置１６のハードディスク等に記録しておいてもよい。そして、ハイビジョン放送の番組とワンセグメント放送の番組が関連している場合に、その記録にしたがって、ピクチャーインピクチャーを実行してもよい。【００７４】
＜実施形態の変形例＞
上記実施形態では、デジタル放送のハイビジョン放送とワンセグメント放送を例に本発明を適用したテレビジョン視聴装置を説明した。しかし、本発明の実施は、このような構成に限定されるものではない。すなわち、本発明の本質は、広帯域放送の番組内容と、狭帯域放送の番組内容が異なるが、それらが関連する場合に、ピクチャーインピクチャーにて２つの受信映像を合成して、表示することにある。したがって、アナログ放送にて２つの放送チャンネル（例えば、広帯域放送と、狭帯域放送）で番組が放送されている場合についても、同様に、番組内容の関連性を判定し、２つの放送チャンネルの番組内容が関連する場合に、ピクチャーインピクチャーにて、２つの受信映像を合成して表示すればよい。【００７５】
＜コンピュータ読み取り可能な記録媒体＞
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。【００７６】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。【００７７】
また、コンピュータ等に固定された記録媒体としてハードディスクやＲＯＭ（リードオンリーメモリ）等がある。
【図１】
2008081513.tif 000003
【図２】
2008081513.tif 000004
【図３】
2008081513.tif 000005
【図４】
2008081513.tif 000006
【図５】
2008081513.tif 000007
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
第１放送帯域を受信する第１受信部と、
前記第１放送帯域より帯域幅が狭い第２放送帯域を受信する第２受信部と、
前記第１放送帯域からの受信映像と第２放送帯域からの受信映像とを合成し、合成映像を生成する画像処理部と、
前記第１放送帯域の受信映像、前記第２放送帯域の受信映像、前記合成映像のいずれかを表示する表示装置への映像出力インターフェースと、
第１放送帯域および第２放送帯域を含むテレビジョン放送の視聴指示操作を検知する検知部と、
前記第１放送帯域および第２放送帯域のそれぞれについて、放送時間帯を示す情報と、前記放送時間帯における放送番組を指定する情報とを含む、電子番組表情報を記憶する番組情報記憶部と、
現在時刻における第１放送帯域と第２放送帯域の放送番組の関連性を判定する判定部と、
前記第１放送帯域の視聴指示操作が検知され、表示前記第１放送帯域と第２放送帯域との間で、放送番組の関連性が所定の条件を充足したときに、前記画像処理部に対して第１放送帯域からの受信映像と第２放送帯域からの受信映像との合成を指令することにより、前記映像出力インターフェースに合成された映像を出力する合成制御部と、を備える情報機器。
【請求項２】
前記判定部は、前記電子番組表情報において、同一の放送時刻に指定された、第１放送帯域の放送番組を指定する情報と第２放送帯域の放送番組を指定する情報とにおいて、一部重複する文字列が含まれるか否かによって前記放送番組の関連性を判定する請求項１に記載の情報機器。
【請求項３】
文字情報の関連性を定義する関連性定義辞書をさらに有し、
前記判定部は、前記電子番組表情報において、同一の放送時刻に指定された、第１放送帯域の放送番組を指定する情報に含まれる文字列と放送時刻に指定された第２放送帯域の放送番組を指定する情報に含まれる文字列との関連性が、前記関連性定義辞書において定義されているか否かによって前記放送番組の関連性を判定する請求項１に記載の情報機器。
【請求項４】
前記判定部は、第１放送帯域の放送番組とともに放送される文字情報と、第２放送帯域の放送番組とともに放送される文字情報とにおいて、一部重複する文字列が含まれるか否かによって前記放送番組の関連性を判定する請求項１に記載の情報機器。
【請求項５】
文字情報の関連性を定義する関連性定義辞書をさらに有し、
前記判定部は、第１放送帯域の放送番組とともに放送される文字情報に含まれる文字列と、第２放送帯域の放送番組とともに放送される文字情報に含まれる文字列との関連性が、前記関連性定義辞書において定義されているか否かによって前記放送番組の関連性を判定する請求項１に記載の情報機器。
【請求項６】
第１放送帯域を受信する第１受信部と、
前記第１放送帯域よりも帯域幅が狭い第２放送帯域を受信する第２受信部と、
前記第１放送帯域からの受信映像と第２放送帯域からの受信映像とを合成する画像処理部と、
前記第１放送帯域からの受信映像、前記第２放送帯域からの受信映像、前記合成された映像のいずれかを表示する表示装置への映像出力インターフェースと、を有する情報機器を制御するコンピュータに、
第１放送帯域および第２放送帯域を含むテレビジョン放送の視聴指示操作を検知するステップと、
前記第１放送帯域および第２放送帯域のそれぞれについて、放送時間帯を示す情報と、前記放送時間帯における放送番組を指定する情報を含む、電子番組表情報を記憶した番組情報記憶部から前記電子番組表情報を読み出すステップと、
前記読み出した電子番組表情報により現在時刻における第１放送帯域と第２放送帯域の放送番組の関連性を判定するステップと、
前記第１放送帯域の視聴指示操作が検知され、前記第１放送帯域と第２放送帯域との間で、放送番組の関連性が所定の条件を充足したときに、前記画像処理部に対して第１放送帯域からの受信映像と第２放送帯域からの受信映像との合成を指令することにより、前記映像出力インターフェースに合成された映像を出力するステップとを実行させるプログラム。
【請求項７】
前記判定ステップでは、前記電子番組表情報において、同一の放送時刻に指定された、第１放送帯域の放送番組を指定する情報と第２放送帯域の放送番組を指定する情報とにおいて、一部重複する文字列が含まれるか否かによって前記放送番組の関連性が判定される請求項６に記載のプログラム。
【請求項８】
前記コンピュータは、文字情報の関連性を定義する関連性定義辞書をさらに有し、
前記判定ステップでは、前記電子番組表情報において、同一の放送時刻に指定された、第１放送帯域の放送番組を指定する情報に含まれる文字列と第２放送帯域の放送番組を指定する情報に含まれる文字列との関連性が、前記関連性定義辞書において定義されているか否かによって前記放送番組の関連性が判定される請求項６に記載のプログラム。
【請求項９】
前記判定ステップでは、第１放送帯域の放送番組とともに放送される文字情報と、第２放送帯域の放送番組とともに放送される文字情報とにおいて、一部重複する文字列が含まれるか否かによって前記放送番組の関連性が判定される請求項６に記載のプログラム。
【請求項１０】
前記コンピュータは、文字情報の関連性を定義する関連性定義辞書をさらに有し、
前記判定ステップでは、第１放送帯域の放送番組とともに放送される文字情報に含まれる文字列と、第２放送帯域の放送番組とともに放送される文字情報に含まれる文字列との関連性が、前記関連性定義辞書において定義されているか否かによって前記放送番組の関
連性が判定される請求項６に記載のプログラム。
【国際調査報告】
2008081513.tif 000008
2008081513.tif 000009
2008081513.tif 000010
2008081513.tif 000011